(57)【要約】      （修正有）【課題】タイマー設定時刻の変更の理由を知らせる。【解決手段】タイマー設定時刻を保存タイマー設定時刻として記憶部に記憶させる受付手段と、保存タイマー設定時刻前の第１の時点および保存タイマー設定時刻付近の第２の時点の設定時刻関連情報を取得する関連情報取得手段と、第１の時点の設定時刻関連情報により示される第２の状態が第１の状態とは異なる場合に、保存タイマー設定時刻を第２の状態に対応した時刻に更新する設定時刻更新手段と、保存タイマー設定時刻に到達したときに報知動作を行う報知部と、保存タイマー設定時刻が前記設定時刻更新手段により更新されたものである場合、保存タイマー設定時刻に到達したときに、第１の時点および前記第２の時点の設定時刻関連情報を表示部に表示させる表示制御手段とを備え、タイマー設定時刻が更新された場合に、その根拠となる設定時刻関連情報を表示部に表示させる合成部２７を備える。【選択図】図１
2014190881.tif 000002
【特許請求の範囲】
【請求項１】
表示部と、
記憶部と、
タイマー設定時刻に影響する設定時刻関連情報により示される第１の状態に対応するタイマー設定時刻の入力を受け付け、受け付けたタイマー設定時刻を保存タイマー設定時刻として前記記憶部に記憶させる受付手段と、
前記タイマー設定時刻の入力後、かつ前記保存タイマー設定時刻前の第１の時点および前記保存タイマー設定時刻付近の第２の時点の前記設定時刻関連情報を取得する関連情報取得手段と、
前記第１の時点の設定時刻関連情報により示される第２の状態が前記第１の状態とは異なる場合に、前記保存タイマー設定時刻を前記第２の状態に対応した時刻に更新する設定時刻更新手段と、
前記保存タイマー設定時刻に到達したときに報知動作を行う報知部と、
前記保存タイマー設定時刻が前記設定時刻更新手段により更新されたものである場合、前記保存タイマー設定時刻に到達したときに、前記第１の時点および前記第２の時点の前記設定時刻関連情報を前記表示部に表示させる表示制御手段とを備えていることを特徴とする報知装置。
【請求項２】
前記関連情報取得手段は、前記保存タイマー設定時刻に到達した後、前記第２の時点以降の設定時刻関連情報を取得し、
前記表示制御手段は、前記関連情報取得手段が取得した前記第２の時点以降の設定時刻関連情報を前記表示部に表示させることを特徴とする請求項１に記載の報知装置。
【請求項３】
前記関連情報取得手段は、前記第１の時点の前記設定時刻関連情報を所定の時間をおいて複数回にわたって取得し、
前記設定時刻更新手段は、前記保存タイマー設定時刻の更新後に、前記関連情報取得手段にて取得された、前記第１の時点の設定時刻関連情報により示される第２の状態が前記第１の状態と同一となった場合に、前記保存タイマー設定時刻を前記第１の状態に対応した時刻に戻すことを特徴とする請求項１または２に記載の報知装置。
【請求項４】
前記表示部および前記報知部として、映像および音声を含む再生コンテンツを再生する表示再生部を備え、
前記表示制御手段は、前記第１の時点および前記第２の時点の前記設定時刻関連情報を前記表示再生部に表示させる場合に、入力された前記再生コンテンツの映像に前記設定時刻関連情報を合成して前記表示再生部に出力することを特徴とする請求項１から３のいずれか１項に記載の報知装置。
【請求項５】
前記設定時刻関連情報は気象情報であり、前記設定時刻関連情報により示される状態は天気であることを特徴とする請求項１から４のいずれか１項に記載の報知装置。
【請求項６】
前記設定時刻関連情報は電車の運行情報であり、前記設定時刻関連情報により示される状態は電車の遅延の有無であることを特徴とする請求項１から４のいずれか１項に記載の報知装置。
【請求項７】
前記設定時刻関連情報は自動車の道路交通情報であり、前記設定時刻関連情報により示される状態は交通渋滞または通行止めによる遅延予測の有無であることを特徴とする請求項１から４のいずれか１項に記載の報知装置。
【請求項８】
請求項１から７の何れか１項に記載の報知装置を備えていることを特徴とするテレビジョン受像機。
【請求項９】
請求項１から７のいずれか１項に記載の報知装置としてコンピュータを機能させるためのプログラムであって、コンピュータを上記各手段として機能させるためのプログラム。
【請求項１０】
請求項９に記載のプログラムを記録したコンピュータ読み取り可能な記録媒体。
【発明の詳細な説明】
【技術分野】
【０００１】
本発明は、タイマー設定時刻の到達を報知する報知装置に関する。
【背景技術】
【０００２】
従来、設定された時刻の到達をユーザに知らせるアラーム装置等の報知装置が種々提案されている。この種の報知装置としては、気象条件の変化や交通機関の交通情報の変化に応じて、設定されている目覚まし時刻を変更する機能を備えた目覚まし装置が知られている。
【０００３】
特許文献１には、予め設定された指定地域の天気状態と対応する複数の目覚まし時刻の中から、天気情報サービスより取得した指定地域の天気情報と対応する目覚まし時刻に目覚まし動作を行うことが記載されている。この構成では、晴れの日は十分な睡眠をとることができ、雨や雪の時にはそれぞれに対応した時刻にて晴れの日よりも早く起床できるようになっている。
【０００４】
具体的には、目覚まし時刻は、例えば、指定地域の状態が雪の場合に５：３０、雨の場合に６：００、晴れの場合に６：３０に設定される。この場合、５：３０になると、天気サービスにアクセスし、指定地域の天気が雪であれば目覚まし動作を行い、雪でなければ６：００まで待機する。次に、６：００になると、天気サービスにアクセスし、指定地域の天気が雨であれば目覚まし動作を行い、雨でなければ６：３０まで待機する。次に、６：３０になると、天気サービスにアクセスし、指定地域の天気が晴れであれば目覚まし動作を行う。さらに、天気（例えば雨かどうか）を判定した時刻（６：００）以降に１０分間隔で同様の比較判定（雨かどうかの判定）を行い、現在の天気情報と一致すれば（雨と判定すれば）、即座に目覚まし動作を実行することにより、天気を判定した後に天気が変化した場合にも追従して対応できるようにしている。
【０００５】
特許文献２には、交通情報の変化に応じてユーザが設定した起床時刻を自動的に再設定することが記載されている。
【０００６】
具体的には、ユーザから起床時刻および利用交通機関の通知があれば、当該交通機関の交通情報を取得し、交通機関に遅延があれば、ユーザが設定した起床時刻を当該交通機関の遅延時間を考慮して再設定するようになっている。
【先行技術文献】
【特許文献】
【０００７】
【特許文献１】特開２００３−７８６４２号公報（２００３年３月１４日公開）
【特許文献２】特開２００２−３０３６８７号公報（２００２年１０月１８日公開）
【発明の概要】
【発明が解決しようとする課題】
【０００８】
上記従来の構成では、ユーザにて設定された目覚まし時刻が天気情報や交通情報に基づいて自動的に再設定される。また、再設定された目覚まし時刻は、その後の天気情報や交通情報の変化により、さらなる再設定が必要となることも考えられる。
【０００９】
しかしながら、ユーザは、このような目覚まし時刻の設定変更が行われた場合に、その設定変更がどのような情報によって行われたかを起床時に認識することができない。このため、ユーザは、目覚まし時刻の設定変更の理由を知りたい場合、変更の根拠となる情報を自分で調べなければならない。そして、このような作業を特に出勤前の繁忙な時間帯に行うことは、ユーザに大きな負担を強いることになる。
【００１０】
したがって、本発明は、タイマー設定時刻が変更された場合に、その変更がどのような情報によって行われたかを知らせることができる報知装置の提供を目的としている。
【課題を解決するための手段】
【００１１】
上記の課題を解決するために、本発明の一態様に係る報知装置は、表示部と、記憶部と、タイマー設定時刻に影響する設定時刻関連情報により示される第１の状態に対応するタイマー設定時刻の入力を受け付け、受け付けたタイマー設定時刻を保存タイマー設定時刻として前記記憶部に記憶させる受付手段と、前記タイマー設定時刻の入力後、かつ前記保存タイマー設定時刻前の第１の時点および前記保存タイマー設定時刻付近の第２の時点の前記設定時刻関連情報を取得する関連情報取得手段と、前記第１の時点の設定時刻関連情報により示される第２の状態が前記第１の状態とは異なる場合に、前記保存タイマー設定時刻を前記第２の状態に対応した時刻に更新する設定時刻更新手段と、前記保存タイマー設定時刻に到達したときに報知動作を行う報知部と、前記保存タイマー設定時刻が前記設定時刻更新手段により更新されたものである場合、前記保存タイマー設定時刻に到達したときに、前記第１の時点および前記第２の時点の前記設定時刻関連情報を前記表示部に表示させる表示制御手段とを備えていることを特徴としている。
【発明の効果】
【００１２】
本発明の一態様によれば、ユーザは、タイマー設定時刻の到達時（例えば起床時）に、自分が入力したタイマー設定時刻（例えば目覚まし時刻）が変更されている場合に、自分で調べることなく、自分が入力したタイマー設定時刻（例えば目覚まし時刻）が変更された理由を知ることができる。
【図面の簡単な説明】
【００１３】
【図１】本発明の一実施形態に係る報知装置の要部の構成を示すブロック図である。
【図２】上記報知装置が記憶するデータ構造を示すテーブルであって、（ａ）は起床時刻を示す図であり、（ｂ）および（ｃ）は条件情報を示す図である。
【図３】上記報知装置の表示画面を示す図である。
【図４】上記報知装置が実行する処理の流れの一例を示すフローチャートである。
【図５】本発明の他の実施形態に係る報知装置が記憶するデータ構造を示すテーブルであって、（ａ）は起床時刻を示す図であり、（ｂ）は条件情報を示す図であり、（ｃ）は他の条件情報を示す図である。
【図６】本発明の他の実施形態に係る報知装置の表示画面を示す図である。
【図７】本発明の他の実施形態に係る報知装置が実行する処理の流れの一例を示すフローチャートである。
【発明を実施するための形態】
【００１４】
〔実施形態１〕
以下、本発明の一実施形態について、図１〜図４に基づいて詳細に説明する。
【００１５】
（報知装置１の構成）
図１は、本実施形態に係る報知装置１の要部の構成を示すブロック図である。報知装置１は、例えば、テレビジョン受像機などの据え置き型の情報処理装置である。
【００１６】
報知装置１は、図１に示すように、入力端子５０、制御部１０、操作部１１、通信部１２、コンテンツデコード部１３、記憶部１４および表示再生部（表示部、報知部）１５を備えている。
【００１７】
入力端子５０は、報知装置１に各種ケーブルを接続するためのインターフェースである。入力端子５０には、アンテナ線６０、接続ケーブル６１および通信回線６２が接続されている。
【００１８】
アンテナ線６０は、テレビアンテナ（図示せず）が受信したテレビ放送を報知装置１へ供給するケーブルである。接続ケーブル６１は、外部機器３００から読み出されたデータを報知装置１へ供給するためのケーブルである。外部機器３００は、例えば、ＢＤ（Blue-ray Disc）プレイヤ、ＤＶＤ（Digital Versatile Disc）プレイヤである。通信回線６２は、インターネット等の公衆通信回線である通信ネットワークと接続されている。
【００１９】
制御部１０は、ＣＰＵ（Central Processing Unit）などで構成され、報知装置１の全体を統括して制御する。制御部１０は、操作部１１、通信部１２、コンテンツデコード部１３、記憶部１４および表示再生部１５を制御する。
【００２０】
操作部１１は、報知装置１に対するユーザの操作を受け付ける入力インターフェースである。操作部１１は、例えば、リモコン、報知装置１に備えられたボタン、キーボード、マウスなどである。
【００２１】
通信部１２は、報知装置１が通信回線６２を通じて通信を行うための通信インターフェースであり、例えば、イーサネット（登録商標）アダプタなどの機器で構成される。
【００２２】
コンテンツデコード部１３は、アンテナ線６０を通じて供給されたテレビ放送の受信信号を復調する。
【００２３】
記憶部１４は、フラッシュメモリなどの不揮発性の記憶装置からなり、時刻設定保存用メモリ８０およびダンプ画像保存用メモリ８１を備える。なお、記憶部１４は、ＲＡＭ（Random Access Memory）などの揮発性の記憶領域を有していてもよい。この領域は制御部１０の作業領域として利用される。
【００２４】
時刻設定保存用メモリ８０は、後述する起床時刻３０、外部情報取得時刻３１および条件情報３２を記憶する。ダンプ画像保存用メモリ８１は、後述する画像データ１００、１０１およびを記憶する。
【００２５】
表示再生部１５は、表示部および音声出力部を備え、報知装置１によって処理される情報、画像、映像および音声などを表示し再生する。表示部は、例えば、液晶パネル、有機ＥＬパネルなどのフラットディスプレイパネルである。音声出力部は、例えばスピーカである。
【００２６】
（制御部１０）
制御部１０は、起床時刻受付部（受付手段）２０、条件情報受付部２１、タイマー起動処理部２２、外部情報取得部（関連情報取得手段）２３、再設定判定部（設定時刻更新手段）２４、再設定処理部（設定時刻更新手段）２５、並列情報処理部（関連情報取得手段）２６および合成部（表示制御手段）２７を備えている。
【００２７】
起床時刻受付部２０は、ユーザによる操作部１１を介しての起床時刻３０の入力を受け付け、入力された起床時刻３０を記憶部１４に記憶させる。本実施形態において、起床時刻３０は、タイマー起動処理部２２が表示再生部１５に再生用コンテンツの再生を開始させる時刻を示す。例えば、起床時刻３０は、図２の（ａ）に示すように「７：００」と分単位で指定される。なお、図２の（ａ）に示す起床時刻は、天気が晴れまたは曇りの場合のものである。
【００２８】
条件情報受付部２１は、ユーザによる操作部１１を介しての条件情報３２の入力を受け付け、入力された条件情報３２に基づいて外部情報取得時刻３１を算出する。また、これら条件情報３２および外部情報取得時刻３１を記憶部１４に記憶させる。なお、条件情報３２は、ユーザが入力した起床時刻３０や通勤経路等の情報に基づいて、制御部１０が自動的に作成してもよい。
【００２９】
条件情報３２は、図２の（ｂ）および（ｃ）に示す項目を含む。本実施形態において、条件情報３２は、地域、天気および再設定時刻を項目としている。
【００３０】
地域は、ユーザの居住地域を特定する項目である。図示の通り「東京」といった都道府県名で選択する形式であってもよい。あるいは、「関東地方」、「関西地方」といった地域で選択する形式であってもよい。天気は、ユーザの居住地域の天気を特定する項目である。図示の通り「雪」、「雨」のいずれかを選択する形式であってもよい。これら地域および天気は、起床時刻３０を再設定（変更）するための条件を示すものである。なお、ここで挙げた条件（すなわち、地域および天気）は一例であって、これらに限定されない。
【００３１】
再設定時刻は、再設定された後の起床時刻３０を示す。図示の通り、例えば「６：００」、「６：３０」と時刻で指定される。あるいは、「１時間早める」、「３０分早める」といったように、起床時刻３０に対する相対時刻として指定される形式であってもよい。また、分単位ではなく秒数単位で指定される形式であってもよい。
【００３２】
外部情報取得時刻３１は、外部情報取得部２３が起床時刻３０を再設定するための時刻調整用コンテンツをいつ取得するかを示す時刻である。この時刻調整用コンテンツは、再設定判定部２４が起床時刻３０を再設定するか否かを判断するための判断材料となる。以下、時刻調整用コンテンツを外部情報（設定時刻関連情報）と称する。
【００３３】
なお、外部情報取得部２３が外部情報取得時刻３１を算出する規則はどのようなものであってもよい。一例としては、複数の再設定時刻のうち、最も早い時刻の５分前を外部情報取得時刻３１とする方法が挙げられる。例えば、図２の（ｂ）および（ｃ）に示す条件情報３２の場合、外部情報取得時刻３１は、「６：００」および「６：３０」のうち、早い方の時刻である「６：００」の５分前の時刻（すなわち、「５：５５」）を外部情報取得時刻３１として取得してもよい。
【００３４】
タイマー起動処理部２２は、現在時刻が記憶部１４に記憶されているいずれかの時刻になったときに、そのことを各部に通知する。具体的には、現在時刻が外部情報取得時刻３１になったときに、そのことを外部情報取得部２３に通知し、現在時刻が起床時刻３０になったときに、そのことを並列情報処理部２６に通知する。なお、タイマー起動処理部２２は、外部情報取得時刻３１から所定時間ごと（例えば１時間ごと）に、外部情報取得部２３に通知してもよい。
【００３５】
外部情報取得部２３は、現在時刻が外部情報取得時刻３１になったときに、通信部１２を介してウェブサイトにアクセスし、外部情報を取得する。取得した外部情報を再設定判定部２４に送信する。この外部情報は、例えば、各地の天気情報を含む気象情報であり、外部情報取得部２３は、気象情報を公開しているウェブサイトから、該気象情報をダウンロードする。
【００３６】
なお、外部情報取得部２３は、タイマー起動処理部２２からの通知を受ける度に、外部情報を取得するようになっていてもよい。また、外部情報は上記気象情報に限定されない。例えば、道路の渋滞情報、電車運行情報、ＳＮＳ（Social Network Service）から取得した情報などであってもよい。また、外部情報は通信部１２を介して取得されるものに限られない。例えば、上記外部情報には、リアルタイムのテレビ放送、ケーブルテレビ、ＣＳ放送、ラジオ放送（文字放送）、外部機器３００、インターネットなどから提供されるすべての映像、音声、画像、文字情報などが含まれる。
【００３７】
再設定判定部２４は、外部情報取得部２３が取得した外部情報と、記憶部１４に記憶されている条件情報３２とを参照し、起床時刻３０の再設定の要否を判定する。詳細には、再設定判定部２４は、外部情報が示す状況と、条件情報３２が示す条件とが一致している場合に、起床時刻３０の再設定が必要と判定する。この場合、再設定判定部２４は、起床時刻３０を再設定するように再設定処理部２５に指示する。併せて、外部情報を再設定処理部２５に送信する。
【００３８】
例えば、条件情報３２が、図２の（ｂ）および（ｃ）に示すものであり、外部情報が、現在の「東京」の天気が「雪」であることを示す気象情報である場合、外部情報と条件情報３２との間で、地域および天気が一致する。一方、この場合の天気は、現在設定されている起床時刻の天気（晴れ）と異なる。従って、再設定判定部２４は、起床時刻３０の再設定が必要と判定する。
【００３９】
再設定処理部２５は、再設定判定部２４から再設定の指示を受けると、起床時刻３０を「雪」の場合の起床時刻に再設定し、記憶部１４のタイマー時刻設定保存メモリ８０に記憶されている古い起床時刻３０を新たな起床時刻３０に更新する。さらに、外部情報に基づいて、起床時刻の再設定の根拠となる天気（例えば「雪」であること）、およびその天気であったときの時刻を含む画像データ１００を生成し、この画像データ１００をダンプ画像保存用メモリ８１に記憶させる。
【００４０】
なお、再設定処理部２５により生成される画像データ１００の一例としては、外部情報の取得元のウェブサイト（例えば、気象情報サイト、電車運行情報サイトなど）のダンプ画像（スクリーンショット画像）などが挙げられる。その他には、外部情報を加工して生成された新たな表示用画像であってもよい。また、画像データ１００の形式も特に限定されない。例えば、ＪＰＥＧ（Joint Photographic Experts Group）形式などである。ここでは、画像データ１００をダンプ画像としている。
【００４１】
並列情報処理部２６は、再設定処理部２５により起床時刻３０が再設定されている場合、その起床時刻３０になると、外部情報取得部２３に指示して、現在、すなわち起床時刻３０時点の天気を取得させる。次に、取得した外部情報に基づいて、起床時刻３０時点の天気および起床時刻３０を含む画像データ１０１を生成し、この画像データ１０１をダンプ画像保存用メモリ８１に記憶させる。この画像データ１０１は、画像データ１００と同様、上記の各種画像であってよいものの、ここでは、ダンプ画像としている。
【００４２】
また、並列情報処理部２６は、ダンプ画像保存用メモリ８１に記憶された画像データ１００、１０１を合成部２７に出力する。なお、起床時刻３０の再設定が行われず、画像データ１００が生成されていない場合、画像データ１０１のみを合成部２７に出力してもよい。
【００４３】
合成部２７は、コンテンツデコード部１３から再生用コンテンツ（例えば、テレビ放送のスポーツニュースなど）を取得する。そして、再生用コンテンツに画像データ１００、１０１（あるいは画像データ１００のみ）を合成し、その映像信号（音声信号を含む）を表示再生部１５に出力する。
【００４４】
表示再生部１５は、起床時刻３０となってタイマー起動処理部２２から起動が指示されると、合成部２７から出力された映像信号（音声信号を含む）を再生する。すなわち、映像を表示し、音声を再生する。これによって目覚まし機能（アラーム機能）が得られる。
【００４５】
なお、再生用コンテンツには、例えば、ケーブルテレビ、ＣＳ放送、ラジオ放送、外部機器３００、インターネットなどから提供されるすべての映像、音声、画像、文字情報などが含まれる。
【００４６】
図３は、表示再生部１５の表示画面の一例を示す図である。図３において、画面の左上の領域には再生用コンテンツが表示され、画面の右上の領域には、画像データ１００および画像データ１０１が表示されている。
【００４７】
（報知装置１の処理の流れ）
図４は、報知装置１が実行する処理の流れを示すフローチャートである。
【００４８】
まず、報知装置１のユーザは、操作部１１を操作して、天気が晴れまたは曇りの場合の起床時刻３０を入力する。起床時刻受付部２０は、受け付けた起床時刻３０を記憶部１４に記憶させる（Ｓ１０１）。ここでは、図２の（ａ）に示す通り、起床時刻は「７：００」に設定されたものとする。
【００４９】
次に、ユーザは、起床時刻３０を再設定するための条件情報３２を入力する。ここでは、図２の（ｂ）（ｃ）に示すデータが条件情報３２として入力される。条件情報受付部２１は、受け付けた条件情報３２を記憶部１４に記憶させる（Ｓ１０２）。また、外部情報取得時刻３１を記憶部１４に記憶させる。ここでは、外部情報取得時刻３１として「４：００」を設定する。この外部情報取得時刻３１は、条件情報３２に設定されている時刻から、それよりも早い時刻を外部情報取得時刻３１が自動的に設定してもよい。あるいは、ユーザにより設定されてもよい。
【００５０】
次に、タイマー起動処理部２２は、現在時刻が外部情報取得時刻３１の「４：００」になるまで待機し、現在時刻が「４：００」になると（Ｓ１０３においてＹＥＳ）、そのことを外部情報取得部２３に通知する。この通知を受けた外部情報取得部２３は、通信部１２を介して、現在の気象情報を取得し（Ｓ１０４）、取得した気象情報を再設定判定部２４に送信する。このときに取得された気象情報では、「東京」の天気が「雪」であるものとする。
【００５１】
再設定判定部２４は、取得された気象情報と条件情報３２とを参照して、起床時刻３０を再設定する必要があるか否かを判定する（Ｓ１０５）。上記の通り、「４：００」の時点では、「東京」の天気は「雪」であり、図２の（ｂ）に示す通り、条件情報３２は、「東京」の天気が「雪」であることを再設定の条件としている。従って、再設定判定部２４は、起床時刻３０を再設定する必要があると判定する（Ｓ１０５においてＹＥＳ）。一方、Ｓ１０５においてＮＯと判定された場合、処理はＳ１０８に進む。
【００５２】
Ｓ１０５においてＹＥＳと判定された場合、再設定処理部２５は、起床時刻３０を「７：００」から「６：００」に変更する（Ｓ１０６）。次に、再設定処理部２５は、取得された現在の気象情報をダンプし、画像データ１００として記憶部１４に記憶させる（Ｓ１０７）。
【００５３】
その後、タイマー起動処理部２２は、現在時刻が起床時刻になるか（Ｓ１０８）、あるいは外部情報取得時刻３１から所定の時間が経過するまで（Ｓ１０９）待機する。所定の時間が経過した場合（Ｓ１０９においてＹＥＳ）、報知装置１においてＳ１０４〜Ｓ１０７の処理が再度行われる。すなわち、現在時刻が起床時刻３０になるまでの間は（Ｓ１０８においてＮＯ）、報知装置１は、所定時間ごとに、Ｓ１０４〜Ｓ１０９の処理を繰り返す。
【００５４】
その後、現在時刻が起床時刻３０になると（Ｓ１０８においてＹＥＳ）、合成部２７は、コンテンツデコード部１３から取得した再生用コンテンツを表示再生部１５に出力する。表示再生部１５は、タイマー起動処理部２２からの指示により起動し、再生用コンテンツを表示し、音声を再生する（Ｓ１１０）。すなわち、目覚まし動作（アラーム動作）を行う。
【００５５】
ここで、並列情報処理部２６は、起床時刻３０が再設定されたか否かを判定する（Ｓ１１１）。上記の通り、起床時刻３０は「７：００」から「６：００」に再設定されているので、外部情報取得部２３は、現在（すなわち、「６：００」）の気象情報を取得する（Ｓ１１２）。
【００５６】
次に、並列情報処理部２６は、取得された気象情報をダンプし画像データ１０１として記憶部１４に記憶させ、さらに記憶部１４から画像データ１００、１０１を取得して（Ｓ１１３）、合成部２７に出力する。合成部２７は、再生用コンテンツと、画像データ１００および画像データ１０１とを並べた映像信号を作成して表示再生部１５に出力する。表示再生部１５は、合成部２７から出力された映像信号に基づき、図３に示すように、再生用コンテンツと、画像データ１００および画像データ１０１とを並べて表示する（Ｓ１１４）。
【００５７】
そして、外部情報取得部２３は、所定の時間が経過する度に（Ｓ１１５においてＹＥＳ）、定期的に、最新の気象情報を取得する。そして、合成部２７は、最新の気象情報に基づいて生成された画像データ１０１を表示再生部１５に表示させる。このように、画像データ１０１が定期的に更新されるため、ユーザは、起床後も、常に最新の気象情報を確認することができる。なお、合成部２７は、前回の画像データ１０１を新たに取得した画像データ１０１で上書きしてもよいし、新たに取得した画像データ１０１と前回の画像データ１０１とを並べて表示させてもよい。
【００５８】
画像データ１０１を定期的に更新する上記の処理は、例えばユーザが報知装置１の電源を切ったときに終了する。なお、起床時刻３０が再設定されていない場合（Ｓ１１１においてＮＯ）も同様に、図示の処理は終了する。
【００５９】
なお、表示再生部１５は、Ｓ１１０での表示再生動作を行わず、Ｓ１１４のみの表示再生動作を行う構成であってもよい。
【００６０】
上記のように、報知装置１では、起床時刻３０が変更された場合に、その変更がいつのどのような情報（天気）によって変更されたかを示す画像データ１００が、起床時刻３０の天気を示す画像データ１０１とともに表示再生部１５に表示される。これにより、自分が設定された時刻よりも早く起こされたユーザは、起床時刻３０が変更された理由（何時の時点のどのような情報によって行われたか）を自分で調べることなく即座に知ることができる。
【００６１】
また、起床時刻３０の変更の根拠を示す画像データ１００と起床時刻３０の天気を示す画像データ１０１とが並べて表示されるので、ユーザは、それら表示により、現在の天気が悪化する方向なのか、回復する方向なのかを把握することができる。
【００６２】
また、図３に示すように、画面の下側の領域に、起床時刻３０が変更された理由の説明を表示してもよい。
【００６３】
また、合成部２７は、画像データ１００と画像データ１０１とを区別できるように、画像の明度、色などを変更して表示させる映像信号を作成してもよい。例えば、画像データ１００が過去の情報であることを認識し易くするため、画像データ１００の明度を落として（暗くして）表示させるようにしてもよい。
【００６４】
また、報知装置１は、起床時刻３０への到達を表示再生部１５に代えてアラーム装置にて報知する構成であってもよく、この場合、報知装置１はアラーム装置、および画像データ１００、１０１を表示する表示部を備えたものとなる。
【００６５】
（変形例１）
所定の時間ごとに繰り返される上記Ｓ１０４〜Ｓ１０７において、再設定処理部２５は、起床時刻３０を再設定した後も、例えば所定時間ごとに気象情報を取得して監視し、天気が起床時刻３０を再設定した時点よりも悪化している場合に、起床時刻３０をさらに所定時間早める構成であってもよい。
【００６６】
一方、再設定処理部２５は、天気の悪化に基づいて起床時刻３０を再設定した後に天気が回復した場合、例えば「雨」という気象情報によって起床時刻３０を変更した後に天気が回復して晴れになった場合、起床時刻３０を元に戻す構成であってもよい。ただし、天気が「雪」から「晴れ」へと回復した場合など、天気が回復しても交通機関や道路事項に影響がのこる場合には、起床時刻３０を元に戻さない構成である方が好ましい。
【００６７】
（変形例２）
上記の構成では、再設定判定部２４は、現在（外部情報取得時刻３１）の天気に基づいて、起床時刻３０を再設定する必要があるか否かを判定する。これに対して、再設定判定部２４は、起床時刻３０における天気予報に基づいて、再設定の要否を判定してもよい。この場合、再設定判定部２４は、現在の天気に関わらず、起床時刻３０における天気は「雪」であると予報されていれば、起床時刻３０を再設定する必要があると判定する（Ｓ１０５においてＹＥＳ）。
【００６８】
（変形例３）
再設定判定部２４は、天気の推移に基づいて、起床時刻３０を再設定する必要があるか否かを判定してもよい。天気の推移とは、所定時間ごとに繰り返される上記Ｓ１０４〜Ｓ１０９において、前回に取得した気象情報から今回に取得した気象情報への推移を意味する。例えば、前回に取得した天気よりも今回に取得した天気の方が悪化している場合、再設定判定部２４は、起床時刻３０を再設定する必要があると判定する（Ｓ１０５においてＹＥＳ）。
【００６９】
具体的には、「４：００」の時点の天気は「雨」であったものの、「５：００」の時点では「雪（積雪）」へと天気が悪化しているような状況である。この場合、Ｓ１０５においてＹＥＳと判定される。
【００７０】
〔実施形態２〕
本発明の報知装置１に関する他の実施形態について、図５〜図７に基づいて説明すれば、以下のとおりである。
【００７１】
（制御部１０）
本実施形態において、条件情報受付部２１が受け付ける条件情報３２は、図５の（ｂ）に示すように、利用交通機関、区間、および希望到着時刻である。
【００７２】
利用交通機関は、ユーザが通勤、通学などに利用する交通機関を特定するための項目である。図示の通り、路線（「○○線」）を選択する形式であってもよい。
【００７３】
区間は、上記交通機関の利用区間を特定する項目である。「Ａ駅−Ｂ駅」のように、出発駅と到着駅とを選択する形式であってもよい。この場合、例えば、「六本木駅−渋谷駅」といったように設定される。希望到着時刻は、ユーザの上記到着駅への到着希望時刻であり、時刻（「９：５０」）を指定する形式であってもよい。
【００７４】
外部情報取得部２３は、外部情報（設定時刻関連情報）として現在の電車運行情報を取得する。再設定判定部２４は、電車運行情報を参照し、上記利用交通機関および上記区間において、電車遅延が発生しているか否かを判定する。
【００７５】
再設定処理部２５は、電車遅延が発生している場合に、起床時刻３０を再設定する。詳細には、電車遅延の大きさに応じて、起床時刻３０を決定する。例えば、１時間未満の電車遅延が発生している場合、起床時刻３０を１時間早める。
【００７６】
図６は、本実施形態に係る表示再生部１５の表示画面の一例を示す図である。
【００７７】
画面の左上の領域には、再生コンテンツが表示され、画面の右上の領域には、画像データ１００および画像データ１０１として、電車運行情報が表示される。
【００７８】
（報知装置１の処理の流れ）
図７は、報知装置１が実行する処理の流れを示すフローチャートである。まず、報知装置１のユーザは、操作部１１を操作して、ユーザが利用する交通機関の乗車区間が通常運行の場合の起床時刻３０を入力する。起床時刻受付部２０は、受け付けた起床時刻３０を記憶部１４に記憶させる（Ｓ２０１）。ここでは、図５の（ａ）に示す通り、起床時刻は「７：００」に設定されたものとする。
【００７９】
次に、ユーザは、起床時刻３０を再設定するための条件情報３２を入力する。ここでは、図５の（ｂ）に示すデータが条件情報３２として入力される。条件情報受付部２１は、受け付けた条件情報３２を記憶部１４に記憶させる（Ｓ２０２）。また、外部情報取得時刻３１を記憶部１４に記憶させる。ここでは、外部情報取得時刻３１として、「５：５０」を設定する。
【００８０】
次に、タイマー起動処理部２２は、現在時刻が外部情報取得時刻３１の「５：５０」になるまで待機し（Ｓ２０３においてＮＯ）、現在時刻が「５：５０」になると（Ｓ２０３においてＹＥＳ）、そのことを外部情報取得部２３に通知する。
【００８１】
この通知を受けた外部情報取得部２３は、通信部１２を介して、現在の電車運行情報を取得し（Ｓ２０４）、取得した電車運行情報を再設定判定部２４に送信する。このときに取得された電車運行情報は、「○○線」の「Ａ駅−Ｂ駅」の区間での「１０分」の電車遅延を示すものとする。
【００８２】
再設定判定部２４は、取得された電車運行情報と条件情報３２とを参照して、起床時刻３０を再設定する必要があるか否かを判定する（Ｓ２０５）。上記の通り、「５：５０」の時点で、「○○線」の「Ａ駅−Ｂ駅」の区間において電車遅延が発生し、図５の（ｂ）に示す通り、条件情報３２は、「○○線」の「Ａ駅−Ｂ駅」の電車遅延を再設定の条件としている。従って、再設定判定部２４は、起床時刻３０を再設定する必要があると判定する（Ｓ２０５においてＹＥＳ）。一方、Ｓ２０５においてＮＯと判定された場合、処理はＳ２０８に進む。
【００８３】
Ｓ２０５においてＹＥＳと判定された場合、上記の通り、電車遅延は「１０分」であるので、再設定処理部２５は、起床時刻３０を「７：００」から「６：００」へと１時間早める（Ｓ２０６）。
【００８４】
次に、再設定処理部２５は、取得された現在の電車運行情報をダンプし、画像データ１００として記憶部１４に記憶させる（Ｓ２０７）。
【００８５】
その後、タイマー起動処理部２２は、現在時刻が起床時刻になるか（Ｓ２０８）、あるいは外部情報取得時刻３１から所定の時間が経過するまで（Ｓ２０９）待機する。所定の時間が経過した場合（Ｓ１０９においてＹＥＳ）、報知装置１においてＳ２０４〜Ｓ２０９の処理が実行される。
【００８６】
その後、現在時刻が起床時刻３０になると（Ｓ２０８においてＹＥＳ）、合成部２７は、コンテンツデコード部１３から取得した再生用コンテンツを表示再生部１５に出力する。表示再生部１５は、タイマー起動処理部２２からの指示により起動し、再生用コンテンツを表示し、音声を再生する（Ｓ２１０）。すなわち、目覚まし動作（アラーム動作）を行う。
【００８７】
ここで、並列情報処理部２６は、起床時刻３０が再設定されたか否かを判定する（Ｓ２１１）。上記の通り、起床時刻３０は「７：００」から「６：００」へと再設定されているので、外部情報取得部２３は、現在（すなわち、「６：００」）の電車運行情報を取得する（Ｓ２１２）。
【００８８】
次に、並列情報処理部２６は、取得された電車運行情報をダンプし画像データ１０１として記憶部１４に記憶させ、さらに記憶部１４から画像データ１００、１０１を取得して（Ｓ２１３）、合成部２７に出力する。合成部２７は、再生用コンテンツと、画像データ１００および画像データ１０１とを並べた映像信号を作成して表示再生部１５に出力する。表示再生部１５は、合成部２７から出力された映像信号に基づき、図６に示すように、再生用コンテンツと、画像データ１００および画像データ１０１とを並べて表示する（Ｓ２１４）。そして、外部情報取得部２３は、所定の時間が経過する度に（Ｓ２１５においてＹＥＳ）、定期的に、最新の電車運行情報を取得する。そして、合成部２７は、最新の電車運行情報に基づいて生成された画像データ１０１を表示再生部１５に表示させる。画像データ１０１を定期的に更新する上記の処理は、例えば報知装置１の電源の停止と共に終了する。なお、起床時刻３０が再設定されていない場合（Ｓ２１１においてＮＯ）も同様に、図示の処理は終了する。
【００８９】
（変形例）
所定の時間ごとに繰り返される上記Ｓ２０４〜Ｓ２０９において、再設定処理部２５は、起床時刻３０を再設定した後も、例えば所定時間ごとに電車運行情報を取得して監視し、電車遅延が起床時刻３０を再設定した時点よりも悪化している場合に、起床時刻３０をさらに所定時間早める構成であってもよい。
【００９０】
一方、再設定処理部２５は、電車遅延の悪化に基づいて起床時刻３０を再設定した後に電車遅延が解消した場合、起床時刻３０を元に戻す構成であってもよい。なお、再設定処理部２５での判定は、上記のように所定時間ごとに行わず、起床時刻３０の所定時間前に行われるようになっていてもよい。また、表示再生部１５には、電車遅延から復旧したことを示す情報が表示されてもよい。この場合の情報は、例えば、「５：５５に電車遅延から復旧しました」といったものである。
【００９１】
〔実施形態３〕
本発明の報知装置１に関する他の実施形態について、図５の（ｃ）に基づいて説明すれば、以下のとおりである。
【００９２】
本実施形態に係る報知装置１は、ユーザが通勤時に利用する自動車の道路交通情報に基づいて、起床時刻３０を再設定する。本実施形態に係る条件情報３２の一例を図５の（ｃ）に示す。図５の（ｃ）に示す条件情報３２は、出発地、到着地、高速道路の利用、希望到着時刻からなる。
【００９３】
出発地は、自動車の出発地を特定する項目であって、通常、「自宅」の住所である。
【００９４】
到着地は、自動車の到着地を特定する項目であって、例えば、「会社駐車場」の住所などが指定される。
【００９５】
高速道路の利用は、高速道路を利用するか否かを選択する項目であって、「許可」、「不許可」の何れかを選択する形式であってもよい。
【００９６】
希望到着時刻は、上記出発地から上記到着地への自動車の経路に応じた、希望到着時刻を特定する項目であって、例えば、「９：５０」などと指定される。
【００９７】
本実施形態に係る報知装置１は、まず、上記条件情報３２に基づいて出発地から到着地までの自動車による移動経路（高速道路または一般道）を特定する。そして、外部情報(設定時刻関連情報）として自動車の道路交通情報を取得し、上記移動経路に含まれるある区間で、交通渋滞または通行止め等が生じているか否かを判断する。交通渋滞または通行止めが生じている場合、その区間の平常時の通行時間に対する、上記交通渋滞による遅延、または、通行止めによる迂回遅延を予測する。そして、予測した遅延時間（遅延予測）と希望到着時刻に基づいて起床時刻３０を再設定する。
【００９８】
なお、道路交通情報に、交通渋滞または通行止め等の情報とともに、上記移動経路を通行するのに要する時間の情報（通行予測時間情報）が含まれている場合、あるいは通行予測時間情報を上記道路交通情報とは別に外部から取得できる場合には、その通行予測時間情報を利用して遅延時間を予測し、起床時刻３０を再設定するようにしてもよい。
【００９９】
また、交通渋滞が緩和された場合、あるいは、通行止めが解除された場合、再設定された起床時刻３０を元の時刻に戻してもよい。
【０１００】
〔実施形態４：ソフトウェアによる実現例〕
報知装置１の制御ブロック（特に制御部１０）は、集積回路（ＩＣチップ）等に形成された論理回路（ハードウェア）によって実現してもよいし、ＣＰＵを用いてソフトウェアによって実現してもよい。
【０１０１】
後者の場合、報知装置１は、各機能を実現するソフトウェアであるプログラムの命令を実行するＣＰＵ、上記プログラムおよび各種データがコンピュータ（またはＣＰＵ）で読み取り可能に記録されたＲＯＭ（Read Only Memory）または記憶装置（これらを「記録媒体」と称する）、上記プログラムを展開するＲＡＭなどを備えている。そして、コンピュータ（またはＣＰＵ）が上記プログラムを上記記録媒体から読み取って実行することにより、本発明の目的が達成される。上記記録媒体としては、「一時的でない有形の媒体」、例えば、テープ、ディスク、カード、半導体メモリ、プログラマブルな論理回路などを用いることができる。また、上記プログラムは、該プログラムを伝送可能な任意の伝送媒体（通信ネットワークや放送波等）を介して上記コンピュータに供給されてもよい。なお、本発明は、上記プログラムが電子的な伝送によって具現化された、搬送波に埋め込まれたデータ信号の形態でも実現され得る。
【０１０２】
〔まとめ〕
本発明の態様１に係る報知装置は、表示部（表示再生部１５）と、記憶部１４と、
タイマー設定時刻に影響する設定時刻関連情報により示される第１の状態に対応するタイマー設定時刻の入力を受け付け、受け付けたタイマー設定時刻を保存タイマー設定時刻として前記記憶部１４に記憶させる受付手段（起床時刻受付部２０）と、前記タイマー設定時刻の入力後、かつ前記保存タイマー設定時刻前の第１の時点および前記タイマー設定時刻付近の第２の時点の前記設定時刻関連情報を取得する関連情報取得手段（外部情報取得部２３、並列情報処理部２６）と、前記第１の時点の設定時刻関連情報により示される第２の状態が前記第１の状態とは異なる場合に、前記保存タイマー設定時刻を前記第２の状態に対応した時刻に更新する設定時刻更新手段（再設定判定部２４、再設定処理部２５）と、前記保存タイマー設定時刻に到達したときに報知動作を行う報知部（表示再生部１５）と、前記保存タイマー設定時刻が前記設定時刻更新手段により更新されたものである場合、前記保存タイマー設定時刻に到達したときに、前記第１の時点および前記第２の時点の前記設定時刻関連情報を前記表示部に表示させる表示制御手段（合成部２７）とを備えている構成である。
【０１０３】
上記の構成によれば、受付手段（起床時刻受付部２０）は、タイマー設定時刻に影響する設定時刻関連情報により示される第１の状態に対応するタイマー設定時刻の入力を受け付け、受け付けたタイマー設定時刻を保存タイマー設定時刻として記憶部１４に記憶させる。関連情報取得手段（外部情報取得部２３、並列情報処理部２６）は、タイマー設定時刻の入力後、かつ保存タイマー設定時刻前の第１の時点および保存タイマー設定時刻付近の第２の時点の設定時刻関連情報を取得する。設定時刻更新手段（再設定判定部２４、再設定処理部２５）は、第１の時点の設定時刻関連情報により示される第２の状態が第１の状態とは異なる場合に、タイマー設定時刻を第２の状態に対応した時刻に更新する。報知部（表示再生部１５）は、保存タイマー設定時刻に到達したときに報知動作を行う。表示制御手段（合成部２７）は、保存タイマー設定時刻が設定時刻更新手段により更新されたものである場合、保存タイマー設定時刻に到達したときに、第１の時点および第２の時点の設定時刻関連情報を表示部に表示させる。
【０１０４】
したがって、保存タイマー設定時刻が例えば目覚まし時刻である場合、ユーザは報知部の動作によって起床することができる。また、ユーザは、例えば起床時に、表示部に表示されている第２の時点の設定時刻関連情報（例えば気象情報）により、起床時の例えば天気を知ることができる。また、自分が入力したタイマー設定時刻（例えば目覚まし時刻）が変更されている場合に、第２の時点の設定時刻関連情報（例えば気象情報）により、自分で調べることなく、自分が入力したタイマー設定時刻（例えば目覚まし時刻）が変更されている理由を知ることができる。
【０１０５】
本発明の態様２に係る報知装置は、上記態様１において、前記関連情報取得手段は、前記保存タイマー設定時刻に到達した後、前記第２の時点以降の設定時刻関連情報を取得し、前記表示制御手段は、前記関連情報取得手段が取得した前記第２の時点以降の設定時刻関連情報を前記表示部に表示させる構成としてもよい。
【０１０６】
ユーザが起床した後も、天気、電車遅延などの状況は時々刻々と変化する。通常、ユーザが現在の状況を知りたい場合、その都度、更新後の最新の情報を調べなければならない。一方、上記の構成とすれば、表示部に表示されている第２の時点の設定時刻関連情報は、定期的に、新たに取得された最新の設定時刻関連情報に更新される。
【０１０７】
これにより、ユーザは、起床後も常に最新の情報を確認することができる。
【０１０８】
本発明の態様３に係る報知装置は、上記態様１または２において、前記関連情報取得手段（外部情報取得部２３）は、前記第１の時点の前記設定時刻関連情報を所定の時間をおいて複数回にわたって取得し、前記設定時刻更新手段（再設定判定部２４、再設定処理部２５）は、前記保存タイマー設定時刻の更新後に、前記関連情報取得手段にて取得された、前記第１の時点の設定時刻関連情報により示される第２の状態が前記第１の状態と同一となった場合に、前記保存タイマー設定時刻を前記第１の状態に対応した時刻に戻す構成としてもよい。
【０１０９】
上記の構成によれば、保存タイマー設定時刻の更新後に取得された、第１の時点の設定時刻関連情報により示される第２の状態が第１の状態と同一となった場合に、保存タイマー設定時刻が第１の状態に対応した時刻に戻される。
【０１１０】
これにより、設定時刻関連情報（例えば気象情報）によって示される状態（例えば天気）が、第１の状態（初期設定の状態）に戻った場合に、無駄に報知動作（例えば目覚まし動作）が行われる事態を防止することができる。
【０１１１】
本発明の態様４に係る報知装置は、上記態様１から３のいずれかの態様において、前記表示部および前記報知部として、映像および音声を含む再生コンテンツを再生する表示再生部１５を備え、前記表示制御手段（合成部２７）は、前記第１の時点および前記第２の時点の前記設定時刻関連情報を前記表示再生部１５に表示させる場合に、入力された前記再生コンテンツの映像に前記設定時刻関連情報を合成して前記表示再生部１５に出力する構成としてもよい。
【０１１２】
上記の構成によれば、保存タイマー設定時刻に到達したときに表示再生部１５が起動し、表示画面に、再生コンテンツの映像（例えばテレビジョン放送の映像）に合成して第１の時点および第２の時点の設定時刻関連情報が表示される。また、再生コンテンツの音声により、保存タイマー設定時刻への到達を知らせる報知動作（例えば目覚まし動作）が行われる。
【０１１３】
本発明の態様５に係る報知装置は、上記態様１から４のいずれかの態様において、前記設定時刻関連情報は気象情報であり、前記設定時刻関連情報により示される状態は天気である構成としてもよい。
【０１１４】
上記の構成によれば、ユーザが設定したタイマー設定時刻（例えば目覚まし時刻）への影響が非常に大きい気象情報を設定時刻関連情報としてタイマー設定時刻の変更が行われるので、利便性の高い構成とすることができる。
【０１１５】
本発明の態様６に係る報知装置は、上記態様１から４のいずれかの態様において、前記設定時刻関連情報は電車の運行情報であり、前記設定時刻関連情報により示される状態は電車の遅延の有無である構成としてもよい。
【０１１６】
上記の構成によれば、ユーザが設定したタイマー設定時刻（例えば目覚まし時刻）への影響が非常に大きい電車の運行情報を設定時刻関連情報としてタイマー設定時刻の変更が行われるので、利便性の高い構成とすることができる。
【０１１７】
本発明の態様７に係る報知装置は、上記態様１から４のいずれかの態様において、前記設定時刻関連情報は自動車の道路交通情報であり、前記設定時刻関連情報により示される状態は交通渋滞または通行止めによる遅延予測の有無である構成としてもよい。
【０１１８】
上記の構成によれば、ユーザが設定したタイマー設定時刻（例えば目覚まし時刻）への影響が非常に大きい自動車の道路交通情報を設定時刻関連情報としてタイマー設定時刻の変更が行われるので、利便性の高い構成とすることができる。
【０１１９】
本発明の各態様に係る報知装置を備えているテレビジョン受像機も本発明の範疇に含まれる。
【０１２０】
本発明の各態様に係る報知装置は、コンピュータによって実現してもよく、この場合には、コンピュータを上記報知装置が備える各手段として動作させることにより上記報知装置をコンピュータにて実現させる報知装置の制御プログラム、およびそれを記録したコンピュータ読み取り可能な記録媒体も、本発明の範疇に入る。
【０１２１】
本発明は上述した各実施形態に限定されるものではなく、請求項に示した範囲で種々の変更が可能であり、異なる実施形態にそれぞれ開示された技術的手段を適宜組み合わせて得られる実施形態についても本発明の技術的範囲に含まれる。さらに、各実施形態にそれぞれ開示された技術的手段を組み合わせることにより、新しい技術的特徴を形成することができる。
【産業上の利用可能性】
【０１２２】
本発明は、アラーム機能を備えたスマートフォンや携帯電話等の携帯端末装置、およびテレビジョン受像機に利用することができる。
【符号の説明】
【０１２３】
１  報知装置
１０  制御部
１１  操作部
１２  通信部
１３  コンテンツデコード部
１４  記憶部
１５  表示再生部（表示部、報知部）
２０  起床時刻受付部（受付手段）
２１  条件情報受付部
２２  タイマー起動処理部
２３  外部情報取得部（関連情報取得手段）
２４  再設定判定部（設定時刻更新手段）
２５  再設定処理部（設定時刻更新手段）
２６  並列情報処理部（関連情報取得手段）
２７  合成部（表示制御手段）
３０  起床時刻
３１  外部情報取得時刻
３２  条件情報
８０  時刻設定保存用メモリ
８１  ダンプ画像保存用メモリ
１００  画像データ
１０１  画像データ
【図１】
2014190881.tif 000003
【図２】
2014190881.tif 000004
【図３】
2014190881.tif 000005
【図４】
2014190881.tif 000006
【図５】
2014190881.tif 000007
【図６】
2014190881.tif 000008
【図７】
2014190881.tif 000009